(57)【要約】【課題】  書籍の左右両頁の画像を片方ずつ読み取って別々の用紙に記録するときの利便性に優れた画像読取記録装置を提供する。【解決手段】  複合機のＭＰＵは、操作者による設定に基づいて、プラテンガラス上に載置された書籍の頁が左頁及び右頁のいずれであるかを把握する。ＭＰＵは、操作者により左頁の画像に対して設定された補正余白幅だけ、左頁から読み取った画像を用紙に対して右側にシフトさせることで左側余白幅を調節する。また、ＭＰＵは、右頁の画像に対して設定された補正余白幅だけ、右頁から読み取った画像を用紙に対して右側にシフトさせることで左側余白幅を調節する。これにより、書籍から読み取った左頁及び右頁の各画像の左側余白幅に余白幅差があっても、左頁及び右頁の画像の用紙上における左側余白幅は等しくなる。【選択図】      図１
2007060300.tif 000002
【特許請求の範囲】
【請求項１】
プラテンガラス上に載置される原稿の画像を読み取り、この画像を用紙に記録する画像読取記録装置において、
操作者の設定に基づき、プラテンガラス上に載置された書籍の頁が左頁及び右頁のいずれであるかを把握する頁把握手段と、
操作者により予め設定された大きさの補正余白幅に基づき、左頁から読み取った画像の用紙上における左側余白幅と、右頁から読み取った画像の用紙上における左側余白幅との少なくともいずれか一方を調節する余白調節手段とを備えたことを特徴とする画像読取記録装置。
【請求項２】
前記余白調節手段は、左頁の画像に対して設定された補正余白幅だけ、左頁から読み取った画像を用紙に対して右側にシフトさせることで前記左側余白幅を調節し、また、右頁の画像に対して設定された補正余白幅だけ、右頁から読み取った画像を用紙に対して右側にシフトさせることで前記左側余白幅を調節することを特徴とする請求項１に記載の画像読取記録装置。
【発明の詳細な説明】
【技術分野】
【０００１】
この発明は、プラテンガラス上に載置された原稿の画像を読み取り、この画像を用紙に記録する画像読取記録装置に関するものである。
【背景技術】
【０００２】
従来、この種の画像読取記録装置としては、例えば、特許文献１に記載されたものがある。この装置において、いわゆるページ連写モードが設定されると、まず、プラテンガラス上に見開き状態で載置された書籍の左右両頁の端の位置が検出されるとともに、この左右両頁の端の位置から書籍の頁境界位置が求められる。次に、書籍の左端から頁境界位置までの範囲の画像が、書籍の左頁（又は右頁）の画像として読み取られる。また、頁境界位置から書籍の右端までの範囲の画像が、書籍の右頁（又は左頁）の画像として読み取られる。そして、読み取られた各頁の画像は、それぞれ別々の用紙に所定の余白を設けて記録される。
【特許文献１】特開平７−２６１６０６号公報
【発明の開示】
【発明が解決しようとする課題】
【０００３】
ところで、上記のようなページ連写モードを用いず、書籍の左右両頁を片方ずつ読み取らせて、それぞれ別の用紙に記録させることがある。このとき、書籍の左頁から読み取った画像における左側余白（マージン）の幅と、右頁から読み取った画像における左側余白の幅には差があることが多く、別々の用紙に画像が記録された左頁及び右頁の各左側余白の幅に差ができる。このため、左頁及び右頁の各画像をそれぞれ記録した用紙を綴じようとするときに、左頁の用紙と右頁の用紙とで画像の位置がずれたり、適切な大きさの綴じ代を取りにくいといった不都合があった。上記特許文献１の装置は、このような使い方に対処するものではない。
【０００４】
この発明の目的は、書籍の左右両頁の画像を片方ずつ読み取って別々の用紙に記録するときの利便性に優れた画像読取記録装置を提供することにある。
【課題を解決するための手段】
【０００５】
上記目的を達成するため、請求項１に記載の発明は、プラテンガラス上に載置される原稿の画像を読み取り、この画像を用紙に記録する画像読取記録装置において、操作者の設定に基づき、プラテンガラス上に載置された書籍の頁が左頁及び右頁のいずれであるかを把握する頁把握手段と、操作者により予め設定された大きさの補正余白に基づき、左頁の画像の用紙上における左側余白幅と、右頁の画像の用紙上における左側余白幅との少なくともいずれか一方を調節する余白調節手段とを備えたことを特徴とする。
【０００６】
請求項２に記載の発明は、請求項１に記載の発明において、前記余白調節手段は、左頁の画像に対して設定された補正余白幅だけ、左頁から読み取った画像を用紙に対して右側にシフトさせることで前記左側余白幅を調節し、また、右頁の画像に対して設定された補正余白幅だけ、右頁から読み取った画像を用紙に対して右側にシフトさせることで前記左側余白幅を調節することを特徴とする。
【発明の効果】
【０００７】
この発明によれば、左頁の画像が記録された用紙上における左側印刷余白の幅と、右頁の画像が記録された用紙上における左側印刷余白の幅との少なくともいずれか一方が、操作者により予め設定されている大きさの補正余白に基づいて調節される。このため、書籍の左頁から読み取った画像における左側余白の幅と、同じく右頁から読み取った画像における左側余白の幅とに余白差があっても、用紙に記録された左頁及び右頁の各画像の用紙上における左側余白の幅を等しくすることができる。従って、書籍の左右両頁の画像を片方ずつ読み取って別々の用紙に記録するときの利便性が向上する。
【発明を実施するための最良の形態】
【０００８】
以下、この発明に係る原稿読取記録装置を複合機に具体化した一実施形態について、図１〜図５に従って説明する。この複合機は、コピー機能、スキャナー機能及びファクシミリ機能を備えている。
【０００９】
図２に示すように、複合機１０は、ＭＰＵ（Micro Processing Unit）１３、ＲＯＭ（Read Only Memory）１４、ワークメモリ１５、読取部１６、記録部１７、操作部１８、表示部１９、画像メモリ２０、コーデック２１（ＣＯＤＥＣ；Coder-Decoder ）、モデム２２（ＭＯＤＥＭ；Modulator-Demodulator）、ネットワーク制御装置（ＮＣＵ；Network Control Unit）２３及びＬＡＮ（Local Area Network）インターフェース２４等から構成され、これら各部１３〜２４はバス２５を介してそれぞれ接続されている。この実施形態では、ＭＰＵ１３、操作部１８及び表示部１９が頁把握手段を構成する。また、ＭＰＵ１３が余白調節手段である。
【００１０】
ＭＰＵ１３は、ＲＯＭ１４に記憶されているプログラムや各種情報に基づき、複合機１０の各部を制御する。ワークメモリ１５はフラッシュメモリ等からなり、複合機１０に関する各種情報を一時的に記憶する。
【００１１】
フラットベッドスキャナ等から構成される読取部１６は、フラットヘッドスキャナのプラテンガラス上に載置された原稿の画像を読み取って白黒二値のイメージデータを出力する。電子写真方式のプリンタよりなる記録部１７は、ファックス受信した画像や、コピーモードにおいて読取部１６で読み取った原稿の画像を、複数の用紙カセットのいずれかから引き出した用紙に記録する。
【００１２】
操作者により操作される操作部１８には、コピーモード、スキャナモード及びファックスモードを切り替えるモードキー（図示せず）、コピー動作、スキャナ動作又はファックス送信動作を開始させるためのスタートボタン（図示せず）、及び、電話番号等の数字を入力するためのテンキー（図示せず）が設けられている。また、操作部１８には、各モード毎に各種設定を行うための機能キーを表示するタッチパネルディスプレィが設けられている。このタッチパネルディスプレィからなる表示部１９は、複合機１０の動作状態等の各種表示を行う。
【００１３】
画像メモリ２０には、ファックス受信された画像データ、あるいは、コピーモード又はスキャナモードにおいて読取部１６により原稿から読み取られた画像データが一時的に記憶される。
【００１４】
コーデック２１は、ファックス送受信等のためにイメージデータの圧縮符号化及び復号を行う。モデム２２は、ファックス伝送制御手順に基づいて送信データの変調及び受信データの復調を行う。ネットワーク制御装置２３は、公衆電話回線との接続を制御するとともに、相手先の電話番号に対応したダイヤル信号を送出する機能及び着信を検出するための機能を備えている。ＬＡＮインターフェース２４は、ＴＣＰ／ＩＰの通信プロトコル等に基づき、ローカルエリアネットワークを介して接続された図示しない複数のユーザ端末との間の通信制御を行う。
【００１５】
次に、ＲＯＭ１４に記憶されているプログラムに基づいてＭＰＵ１３が実行する見開きコピー処理について説明する。この見開きコピー処理は、コピーモードにおいて予め用意された種々のメニューの１つであって、タッチパネルディスプレィに表示される機能キーを操作者が選択操作することによって実行される。この見開きコピー処理においては、フラットベッドスキャナのプラテンガラス上に操作者によって書籍の左頁及び右頁が交互に載置され、載置された各頁の画像が順に読み取られる。
【００１６】
図１に示すように、見開きコピー処理においては、まず、ステップ（以下、Ｓと略記する）１００において、コピーを開始する書籍の頁が左頁であるかそれとも右頁あるかが、操作者による操作部１８への操作によって設定される。この設定は、タッチパネルディスプレィにおいて例えば「コピーを開始する頁を指定してください。」といった表示とともに表示する機能キーを操作者に操作させ、左頁又は右頁を選択させることによって行われる。ここで、図３（ａ）は、プラテンガラスＰＧ上に載置された書籍Ｂの左頁の画像を読み取る状態を示し、図３（ｂ）は、同じく書籍Ｂの右頁の画像を読み取る状態を示している。すなわち、書籍Ｂの左頁が読み取られるときには、左頁の左辺がプラテンガラスＰＧの左辺に一致するように書籍ＢがプラテンガラスＰＧ上に載置される。また、右頁が読み取られるときには、左右両頁の境界線ＢＬがプラテンガラスＰＧの左辺に一致するように書籍がプラテンガラスＰＧ上に載置される。
【００１７】
Ｓ１００において左頁が設定されると、次に、Ｓ１０１において、タッチパネルディスプレィにおいて例えば「左頁を読み取ってください。」といったような報知の表示が操作者に対して行われる。そして、次のＳ１０２において、コピー開始のためにスタートキーが操作されたか否かが判定される。
【００１８】
Ｓ１０２においてスタートキーが操作されたと判定されると、次にＳ１０３において、プラテンガラスＰＧ上に載置された書籍Ｂの左頁の画像が読み取られる。すなわち、図４（ａ）に示すように、文字や図等の有効画像ＰＬと、左側余白幅ＭＬ０とを含む左頁の画像ＱＬが読み取られる。この左側余白幅ＭＬ０は、書籍Ｂの左頁の左側余白幅に対応している。
【００１９】
次に、Ｓ１０４において、読み取られた左頁の画像ＱＬが、操作者により左頁に対応して設定されている次のような補正余白を付加した状態で用紙に記録される。すなわち、図５（ａ）に示すように、書籍Ｂの左頁から読み取られた画像ＱＬ全体が、左頁の画像ＱＬに対して設定された補正余白幅ΔＭＬだけ用紙Ｆに対して右側にシフトされる。この補正余白幅ΔＭＬは、操作者により例えば綴じ代の幅として設定される。そして、用紙Ｆからはみ出した画像ＱＬの右端領域（有効画像ＰＬが含まれない）は用紙Ｆに印刷されず、用紙Ｆ上に対応する画像ＱＬの左側領域（有効画像ＰＬが含まれる）のみが用紙に印刷される。この結果、用紙Ｆに記録された左頁の有効画像ＰＬの左側余白幅ＭＬ１は、左頁の画像ＱＬの左側余白幅ＭＬ０に補正余白幅ΔＭＬを加算した値（ＭＬ１＝ＭＬ０＋ΔＭＬ）となる。
【００２０】
次に、Ｓ１０５において、タッチパネルディスプレィにおいて例えば「次の右頁あり？」といった問い合わせの表示が操作者に対して行われる。Ｓ１０５においてＮＯのときには、この処理が終了される。
【００２１】
Ｓ１０５においてＹＥＳのときには、次に画像を読み取る頁が左頁であると把握される。この場合、次のＳ１０６において、タッチパネルディスプレィにおいて例えば「左頁を読み取ってください」といったような報知の表示が操作者に対して行われる。そして、次のＳ１０７において、コピー開始のためにスタートキーが操作されか否かが判定される。
【００２２】
Ｓ１０７においてスタートキーが操作されたと判定されると、次にＳ１０８において、プラテンガラスＰＧ上に載置された書籍Ｂの右頁の画像が読み取られる。すなわち、図４（ｂ）に示すように、文字や図等の有効画像ＰＲと、左側余白幅ＭＲ０とを含む右頁の画像ＱＲが読み取られる。この左側余白幅ＭＲ０は、書籍Ｂの右頁の左側余白幅に対応しており、綴じ代の幅を含む場合と含まない場合とがある。
【００２３】
次に、Ｓ１０９において、読み取られた右頁の画像ＱＲが、操作者により右頁に対して予め設定されている次のような補正余白を付加した状態で用紙に記録される。ここでは、図４（ａ），（ｂ）に示すように、書籍における左頁の左側余白幅ＭＬ０よりも右頁の左側余白幅ＭＲ０の方が小さいことから、その余白幅差ΔＭ（＝ＭＬ０−ＭＲ０）に左頁の補正余白幅ΔＭＬを加えた値が右頁の画像に対する補正余白幅ΔＭＲ（＝ΔＭ＋ΔＭＬ）とされる。すなわち、この補正余白幅ΔＭＲは、綴じ代の幅として設定された左頁の補正余白幅ΔＭＬに余白幅差ΔＭを加算した値である。そして、図５（ｂ）に示すように、書籍Ｂの右頁から読み取られた画像ＱＲ全体が、右頁の画像ＱＲに対して設定された補正余白幅ΔＭＲの分だけ用紙Ｆに対して右側にシフトされる。これにより用紙Ｆからはみ出した画像ＱＲの右端領域は用紙Ｆに印刷されず、用紙Ｆ上に対応する画像ＱＲの左側領域のみが用紙に印刷される。この結果、用紙Ｆに記録された右頁の有効画像ＰＲの左側余白幅ＭＲ１は、左側余白幅ＭＲ０に補正余白幅ΔＭＲ（＝ΔＭ＋ΔＭＬ）を加算した値（ＭＲ１＝ＭＲ０＋ΔＭＲ）となる。従って、用紙Ｆに記録された左頁の有効画像ＰＬの左側余白幅ＭＬ１（＝ΔＭＬ＋ＭＬ０）と、同じく右頁の有効画像ＰＲの左側余白幅ＭＲ１（＝ΔＭＲ＋ＭＲ０＝ΔＭＬ＋（ΔＭ＋ＭＲ０）＝ΔＭＬ＋ＭＬ０）とは等しくなる。
【００２４】
次に、Ｓ１１０において、タッチパネルディスプレィにおいて例えば「次の左頁あり？」といった問い合わせの表示が操作者に対して行われる。Ｓ１１０においてＮＯのときには、この処理が終了される。
【００２５】
Ｓ１１０においてＹＥＳのときには、次に画像を読み取る頁が右頁であると把握される。この場合、次に前記Ｓ１０１からの処理が改めて実行される。
以上の見開きコピー処理により、書籍Ｂの左頁及び右頁の各画像ＱＬ，ＱＲが交互に読み取られ、読み取られた左頁及び右頁の各有効画像ＰＬ，ＰＲが左側余白幅ＭＬ１，ＭＲ１の大きさが等しくなるようにそれぞれ用紙Ｆに記録される。
【００２６】
以上のようにこの実施形態の複合機１０においては、書籍Ｂから読み取った画像ＱＬ，ＱＲにおける左頁及び右頁の各左側余白幅ＭＬ０，ＭＲ０の余白幅差ΔＭ（＝ＭＬ０−ＭＲ０）から、用紙Ｆに記録される各有効画像ＰＬ，ＰＲに対する補正余白幅ΔＭＬ，ΔＭＲ（＝ΔＭＬ＋ΔＭ）が操作者により予め設定される。そして、この補正余白幅ΔＭＬ，ΔＭＲに基づいて、各有効画像ＰＬ，ＰＲの左側余白幅ＭＬ１（＝ＭＬ０＋ΔＭＬ），ＭＲ１（＝ＭＲ０＋ΔＭＬ＋ΔＭ）が調節される。このため、書籍Ｂから読み取った左頁及び右頁の各画像ＱＬ，ＱＲの左側余白幅ＭＬ０，ＭＲ０に余白幅差ΔＭがあっても、用紙Ｆに記録された左頁及び右頁の各有効画像ＰＬ，ＰＲの左側余白幅ＭＬ１，ＭＲ１を等しくすることができる。従って、書籍Ｂの左右両頁の画像を片方ずつ読み取って別々の用紙Ｆに記録するときの利便性が向上する。
【００２７】
なお、書籍Ｂから読み取った左頁の画像ＱＬの左側余白幅ＭＬ０が、右頁の画像ＱＲの左側余白幅みＭＲ０よりも余白幅差ΔＭだけ大きなときに、左頁の画像ＱＬに対する補正余白幅ΔＭＬを０とし、右頁の画像ＱＲのみに補正余白幅ΔＭＲ（＝ΔＭ＝ＭＬ０−ＭＲ０）を設定してもよい。
【００２８】
また、この発明を、コピー専用機に具体化してもよい。
【図面の簡単な説明】
【００２９】
【図１】一実施形態の複合機が実行する見開きコピー処理のフローチャート。
【図２】複合機の構成を示すブロック図。
【図３】（ａ），（ｂ）は共に、プラテンガラス上に載置された書籍を示す説明図。
【図４】（ａ）は書籍における左頁の画像を示す模式図、（ｂ）は同じく右頁の画像を示す模式図。
【図５】（ａ）は用紙における左頁の画像を示す模式図、（ｂ）は同じく右頁の画像を示す模式図。
【符号の説明】
【００３０】
１０…画像読取記録装置としての複合機、１３…頁把握手段を構成する余白調節手段としてのＭＰＵ、１８…頁把握手段を構成する操作部、１９…同じく表示部、Ｂ…書籍、Ｆ…用紙、ＭＬ０，ＭＲ０…左側余白幅、ＭＬ１，ＭＲ１…左側余白幅、ＰＧ…プラテンガラス、ＱＬ，ＱＲ…画像、ΔＭＬ，ΔＭＲ…補正余白幅。
【図１】
2007060300.tif 000003
【図２】
2007060300.tif 000004
【図３】
2007060300.tif 000005
【図４】
2007060300.tif 000006
【図５】
2007060300.tif 000007